(57)【要約】製品（４）の視覚的特徴に関連した製品情報を受取るステップ、及び前記視覚的特徴を含むレプリカ（６）を購入者に移転するステップ、を含み前記製品（４）を複写したレプリカ（６）を製品（４）の前記購入者（１０）に提供する方法。本方法にはまた、購入された製品（４）に関する情報を入手し、製品（４）、レプリカ（６）及び所有者（１２）を関連付ける所有者証明書（８）を作成するステップを含むことができる。また、製品（４）、レプリカ（６）及び所有者（１２）を関連付ける記録を維持するために登録担当者（２０）を置くことができる。登録担当者（２０）は製品（４）の商人（１４）から情報を入手し、レプリカ（６）を入手するために前記情報をレプリカ製造業者（１８）に移転することもできる。
2004518214.tif 000002
【特許請求の範囲】
【請求項１】
製品の視覚的特徴に関連した製品情報を受取るステップ、及び前記視覚的特徴を含むレプリカを購入者に移転するステップ、を含み前記製品を複写したレプリカを製品の前記購入者に提供する方法。
【請求項２】
前記購入者に前記レプリカを買う機会を提供するステップをさらに具備する請求項１に記載された方法。
【請求項３】
前記製品が乗り物であって、前記製品情報はメーカー、モデル、色、車輪デザイン、及び車輌識別番号の情報を含むことを特徴とする請求項１に記載された方法。
【請求項４】
前記製品の商人は前記製品情報を受取ることを特徴とする請求項１に記載された方法。
【請求項５】
登録担当者が前記製品情報を受取ることを特徴とする請求項１に記載された方法。
【請求項６】
前記登録担当者はまた前記製品と前記レプリカを所有者と関連付けるために製品の前記所有者に関する情報を入手することを特徴とする請求項５に記載された方法。
【請求項７】
前記製品情報を前記商人から受取るために登録担当者を提供するステップをされに具備することにおいて、前記登録担当者は、前記製品及び前記レプリカを前記所有者と関連付けるために、前記製品情報及び前記製品の所有者に関する情報を使用することを特徴とする請求項４に記載された方法。
【請求項８】
前記登録担当者は登録担当者コンピュータ装置を含み及び前記商人は前記登録担当者コンピュータ装置とネットワークにより連結されている商人コンピュータ装置を含むことにおいて、前記登録担当者は、前記製品情報を前記商人コンピュータ装置から前記ネットワークを介して、及び前記登録担当者コンピュータ装置を通して受取ることを特徴とする請求項７に記載された方法。
【請求項９】
前記購入者は前記製品の前記所有者であることを特徴とする請求項７に記載された方法。
【請求項１０】
前記所有者情報は所有者名及び住所のいずれか一つを含むことを特徴とする請求項７に記載された方法。
【請求項１１】
前記登録担当者が前記所有者情報を製品特定番号及びレプリカ特定番号と関連付けるステップをさらに具備する請求項７に記載された方法。
【請求項１２】
前記登録担当者からレプリカ製造業者に対してレプリカ注文を移転するステップをさらに具備する請求項７に記載された方法。
【請求項１３】
前記登録担当者は登録担当者コンピュータ装置を含み及び前記レプリカ製造業者は前記登録担当者コンピュータ装置とネットワークにより連結されているレプリカ製造業者コンピュータ装置を含むことにおいて、前記レプリカ注文は前記商人コンピュータ装置から前記ネットワークを介して前記レプリカ製造業者コンピュータ装置に移転されることを特徴とする請求項１２に記載された方法。
【請求項１４】
前記レプリカ注文は前記製品情報及び前記所有者情報を含むことを特徴とする請求項１２に記載された方法。
【請求項１５】
前記レプリカ注文は前記レプリカ製造業者が前記製品情報を決められる特定記号を含むことを特徴とする請求項１２に記載された方法。
【請求項１６】
前記製品及び前記レプリカを前記所有者と関連付ける所有者証明を作成するステップをさらに具備する請求項１２に記載された方法。
【請求項１７】
前記レプリカ製造業者は前記所有者証明を作成し及び前記所有者証明書を前記登録担当者に提供することを特徴とする請求項１６に記載された方法。
【請求項１８】
前記登録担当者は所有者証明書を作成することを特徴とする請求項１６に記載された方法。
【請求項１９】
前記レプリカ及び前記所有者証明書を前記レプリカ製造業者から前記登録担当者に移転するステップをさらに具備する請求項１６に記載された方法。
【請求項２０】
前記所有者証明書は前記製品情報及び前記所有者情報を含むことを特徴とする請求項１６に記載された方法。
【請求項２１】
前記所有者証明書は政府発行書類に類似することを特徴とする請求項１６に記載された方法。
【請求項２２】
前記レプリカ及び前記所有者証明書に基づき前記登録担当者が登録記録を更新するステップをさらに具備する請求項１６に記載された方法。
【請求項２３】
前記登録担当者はデータベースを有する登録担当者コンピュータ装置を含み、前記データベースは更新された登録記録を含むことを特徴とする請求項２２に記載された方法。
【請求項２４】
前記レプリカ製造業者から前記登録担当者に前記レプリカを移転するステップをさらに具備する請求項１２に記載された方法。
【請求項２５】
在庫から前記レプリカを入手するステップをさらに具備する請求項２４に記載された方法。
【請求項２６】
前記レプリカを注文生産するステップをさらに具備する請求項２４に記載された方法。
【請求項２７】
前記レプリカは特定番号を含むことを特徴とする請求項２４に記載された方法。
【請求項２８】
前記レプリカ特定番号は前記製品に関連した特定番号の特徴を共有する特徴を有する請求項２７に記載された方法。
【請求項２９】
前記レプリカ、並びに前記製品及び前記レプリカを前記所有者に関連付ける所有者証明書を前記所有者に移転するステップをさらに具備する請求項１６に記載された方法。
【請求項３０】
前記レプリカを前記所有者に移転するステップは、前記登録担当者から前記製品の商人、及び前記商人から前記所有者に前記レプリカを移転するステップを含むことを特徴とする請求項２９に記載された方法。
【請求項３１】
前記レプリカを前記所有者に移転するステップは、前記登録担当者から直請求項前記所有者に前記レプリカを移転するステップを含むことを特徴とする請求項２９に記載された方法。
【請求項３２】
前記レプリカを前記所有者に移転するステップは、前記レプリカ製造業者から直請求項前記所有者に前記レプリカを移転するステップを含むことを特徴とする請求項２９に記載された方法。
【請求項３３】
商人コンピュータ装置を有する商人；レプリカ製造業者コンピュータ装置を有するレプリカ製造業者；及び前記商人コンピュータ装置と前記レプリカ製造業者コンピュータ装置を繋ぐネットワーク；を具備する製品を複写したレプリカを製品の購入者に提供するシステムであって、前記商人は前記商人コンピュータ装置に前記購入者の購入した前記製品の視覚的特徴に関連した製品情報を入力し、前記製品情報はレプリカ注文として前記ネットワークを介して前記レプリカ製造業者コンピュータ装置に移転され、及び前記視覚的特徴を含むレプリカは購入者に移転されることを特徴とするシステム。
【請求項３４】
前記ネットワークはインターネットであることを特徴とする請求項３３に記載されたシステム。
【請求項３５】
前記商人コンピュータ装置及び前記レプリカ製造業者コンピュータ装置は、ウェブブラウザを実行するパーソナルコンピュータであることを特徴とする請求項３３に記載されたシステム。
【請求項３６】
前記レプリカ注文は前記製品情報及び前記製品の所有者に関する情報を含むことを特徴とする請求項３３に記載されたシステム。
【請求項３７】
前記商人コンピュータ装置及び前記レプリカ製造業者コンピュータ装置に前記ネットワークを介して連結されている登録担当者コンピュータ装置を有する登録担当者をさらに具備する請求項３３に記載されたシステムであって、前記製品情報は前記商人コンピュータ装置から前記レプリカ注文を生成する前記登録担当者コンピュータ装置に移転されることを特徴とするシステム。
【請求項３８】
前記登録担当者コンピュータ装置は複数のレプリカ製造業者を含むデータベースをさらに具備する請求項３７に記載されたシステム。
【請求項３９】
前記レプリカ注文は前記製品情報及び前記製品の所有者に関する情報を含むことを特徴とする請求項３７に記載されたシステム。
【請求項４０】
前記登録担当者は前記レプリカを前記所有者に移転することを特徴とする請求項３９に記載されたシステム。
【請求項４１】
前記登録担当者は前記レプリカを前記商人に移転し及び前記商人は前記レプリカを前記所有者に移転することを特徴とする請求項３９に記載されたシステム。
【請求項４２】
前記レプリカ製造業者は前記レプリカを前記所有者に移転することを特徴とする請求項３９に記載されたシステム。
【請求項４３】
前記レプリカ製造業者は前記製品及び前記レプリカを前記製品の所有者と関連付ける所有者証明書を作成することを特徴とする請求項３７に記載されたシステム。
【請求項４４】
前記レプリカ製造業者は前記所有者証明書を前記登録担当者に提供することを特徴とする請求項４３に記載されたシステム。
【請求項４５】
前記登録担当者コンピュータ装置は、前記レプリカ及び前記所有者証明書に基づき、前記製品及び前記レプリカを前記所有者と関連付けるデータベース内の登録情報を更新することを特徴とする請求項４４に記載されたシステム。
【請求項４６】
前記登録担当者は前記製品の前記所有者が前記製品の所有権を第２の所有者に移転した後に前記登録情報を更新することを特徴とする請求項４５に記載されたシステム。
【請求項４７】
前記レプリカ製造業者は、前記レプリカを前記登録担当者に提供することを特徴とする請求項３７に記載されたシステム。
【請求項４８】
前記レプリカ製造業者は前記レプリカに関連するレプリカ特定番号を提供することを特徴とする請求項４７に記載されたシステム。
【請求項４９】
製品の購入を記念する方法であって下記ステップを具備する方法：
前記製品の視覚的特徴に関連する製品情報を入手するステップ；
前記購入された製品の所有者に関連する情報を入手するステップ；
前記製品情報に基づきレプリカを作成するステップであって、前記レプリカは前記製品の視覚的特徴を描く；
前記製品情報及び前記所有者情報に基づき所有者証明書を作成するステップであって、前記所有者証明書は前記所有者と前記レプリカを関連付ける；及び
前記レプリカ及び前記所有者証明書を前記所有者に移転するステップ。
【発明の詳細な説明】
【０００１】
［発明の技術分野］
本発明は、製品を表象したレプリカの売買を容易にするために使われる商業方法及びシステムに関する。
【０００２】
［本発明の背景及び要約］
多数の個人及び特にアメリカ人は、自動車及び他の乗り物に特別な愛好をもっている。記念及び感傷的な理由により、彼らはしばしば自分の所有する全ての乗り物の写真コレクションを保持している。本発明は、製造された製品の購入を記念し、特に乗り物の購入を記念するという個人の望みを、購入された乗り物のレプリカを個人に提供することで満たすものである。
【０００３】
例示の実施態様では、製品の視覚的特徴に関連した製品情報を受取るステップ、及び前記視覚的特徴を含むレプリカを購入者に移転するステップ、を含み前記製品を複写したレプリカを製品の前記購入者に提供する方法を表している。
【０００４】
もう一つの実施態様では、購入された乗り物のレプリカを乗り物の購入者に提供する方法を表す。本方法では、購入者が購入した乗り物のメーカー、モデル、及び少なくとも一つの他の視覚的特徴を受取り、及び購入された乗り物の所有者に関する情報を受取るステップを含む。本方法のもう一つのステップでは、乗り物の製造、乗り物のモデル、所有者情報に基づき、所有者と購入者が購入した乗り物のメーカー、モデル及び少なくとも一つの視覚的特徴を表象したレプリカを関連付ける所有者証明書を作成する。本方法はまた、レプリカ及び所有者証明書を前記所有者に移転するステップを含む。
【０００５】
本発明のもう一つの実施態様では、購入者が購入した乗り物のメーカー、モデル及び少なくとも一つの視覚的特徴及び購入された乗り物の所有者に関する情報を受取る登録担当者コンピュータ装置が提供される。前記登録担当者コンピュータ装置はまた、所有者と乗り物の製造、乗り物のモデル、所有者情報に基づき、所有者と購入者が購入した乗り物のメーカー、モデル及び少なくとも一つの視覚的特徴を表象したレプリカを関連付ける所有者証明書を作成する。前記登録コンピュータ装置はまた、レプリカ及び所有者証明書を前記所有者に移転することをなす。
【０００６】
［本発明の実施態様の詳細な説明］
本発明には多様な修正及び代替が可能であるが、図を参照し例示として実施態様を詳細に説明する。しかしこれは本発明を特定の形態に限定するためではなく、本発明は添付特許請求の範囲に該当する全ての修正、等価なもの、及び代替をカバーする意図であることに留意されたい。
【０００７】
図１は、本発明に従ったシステム及び方法の多様な参加者の果たす役割を示し、描かれる製品４、製品４を描くレプリカ６、及び所有者証明書８のシステム内での例示的なフローを表す。図示されているように、参加者は購入者１０、所有者１２、商人１４、製品製造業者１６、レプリカ製造業者１８、及び登録担当者２０である。一般に、購入者１０は自分のため及び／又は他人のために製品４を商人１４から購入する。「購入（単数）」、「購入（複数）」、「購入されたもの」及び「購入すること」いう用語は、ここでは一般的な「価値の交換」を意味し、購入、リース、バーター、及び／又は授与の概念を含む。授与された製品の場合は、製品４を授与する人は授与した製品の見返りとして善意を受取ることになるので価値の交換でもあることに留意されたい。
【０００８】
所有者１２は、一般に、購入者１０が購入した製品４の受領者である。所有者１２は購入者１０と同一人物のときもあるし、そうでないときもある。製品製造業者１６は、一般に、自動車、水用乗物、モータサイクル、航空機、レジャー用乗物、農機具、建設機材などの製品４を製造する。レプリカ製造業者１８は、一般に、製品４を表象したレプリカ６を製造する。典型的には、レプリカ製造業者１８は製品４の視覚的特徴の幾つかの部分を表象したレプリカ６を製造する。さらにレプリカ製造業者１８はまた、典型的に、製品４よりも小さいレプリカ６を製造する。しかし、描かれた製品４より大きいか又は同一のレプリカ６であることも考えられる。また、レプリカ製造業者１８は、典型的に、製品４の縮尺（例えば１対１８、１対２４など）にスケールしたレプリカ６を製造する。登録担当者２０は、一般に、下記に詳述するように、製品４及び製品４を表象したレプリカ６と製品４の所有者１２を関連付ける所有者証明書８を維持する。
【０００９】
多様な参加者のいずれも個人のこともあれば、組織であることもあり、各々は上記の役割の一つ以上を果たすことに留意されたい。例えば、参加者は製品４を製造して購入者１０に製品を販売し、製品製造業者１６と商人１４の両方の役割を果たす。また、ここに記述していない参加者が、ディストリビュータ及び配送代理人であることにも留意されたい。これらの他の参加者は、一般に、上述の参加者にサービスを提供し、上述の参加者の代理人とみなすことができる。
【００１０】
図２に戻って、製品４の購入者１０にレプリカ６を提供することで製品の購入を記念する方法２００は、購入者１０が商人１４から彼自身及び／又は他人のために製品４を購入するステップ２１０から始まる。典型的には、製品４は自動車、航空機、水用乗物、農機具、又はレクレーション用乗物のようなある種の乗物である。しかし製品４は、所有者１２がレプリカ６により記念したいいずれの商品であることも可能である。
【００１１】
ステップ２２０の商人１４は、購入者１０に購入した製品４を表象したレプリカ６を買う機会を提供する。商人１４は（ステップ２２０を省略して）通常のビジネスのなかで購入者１０又は所有者１２にレプリカ６を提供することもできる。このようなシナリオでは、製品４の価格には本質的にレプリカ６の価格を含むが、購入者１０にはレプリカ６をギフトとして贈呈する印象を与える。
【００１２】
購入者１０が製品４を表象したレプリカ６を買うことを選ぶと、ステップ２３０において、商人１４はレプリカ６と製品４を関連付けるために、レプリカ６の視覚的特徴及び所有者１２の特定情報を登録担当者２０に提供する。例えば、自動車を所有者１２が購入した場合は、ステップ２３０において、商人１４は登録担当者２０に、レプリカ６により表象された自動車（すなわち製品４）に関するメーカー、モデル、外部色、内部色、車輌デザイン、車輌識別番号（ＶＩＮ）及び／又は他の情報を提供する。商人１４はステップ２３０においてまた、登録担当者２０が製品４及びレプリカ６を所有者１２と関連付けられるように、製品４の所有者１２の名前及び住所を提供する。
【００１３】
代替的な実施態様では、登録担当者２０は商人１４と独立に、製品情報及び所有者情報を入手する。例えば、登録担当者２０は公表された記録から製品及び所有者情報を確認し、又は私的な情報源から情報を購入することもある。この実施態様では、登録担当者２０はレプリカ製造業者１８及び所有者１２と下記のように交信するが、商人１４とは実質的に独立である。
【００１４】
製品情報及び所有者情報を商人１４から受取ったり他から入手したら、登録担当者２０はステップ２４０において、製品４を表象したレプリカ６をレプリカ製造業者１８に注文する。上述の自動車の例では、登録担当者２０はステップ２４０において、レプリカ製造業者１８に対して、レプリカ６により表象される自動車に関するメーカー、モデル、外部色、内部色、車輌デザイン、車輌識別番号及び／又は他の情報を提供する。代替的に登録担当者２０はステップ２４０において、レプリカ製造業者１８に対して、レプリカ製造業者１８がレプリカ６の視覚的特徴を判断できるような製品番号、カタログ番号及び／又は他の情報を提供する。
【００１５】
登録担当者２０はステップ２４０においてまた、レプリカ製造業者１８に対して、レプリカ製造業者１８が製品４とレプリカ６を関連付けて個人に特定した所有者証明書を作成できるように、製品４の所有者１２の名前と住所を提供することができる。
【００１６】
本発明の代替的実施態様では、登録担当者２０は所有者証明書８を作成する。したがって登録担当者２０はレプリカ製造業者１８に対する上記の情報を提供する必要はない。
【００１７】
登録担当者２０からのレプリカ注文に対応して、レプリカ製造業者１８はステップ２５０において、製品４を表象したレプリカ６を登録担当者２０に提供する。レプリカ製造業者１８は在庫の適当なレプリカ６を単に選択することもできる。代替的に、レプリカ製造業者１８は登録担当者２０から受取った情報を基に、レプリカ６をカスタム製造することもできる。
【００１８】
例示の実施態様では、レプリカ製造業者１８は、レプリカ６が添付特定番号のような特定要素を有するようにレプリカ６を製造する。レプリカ６の特定番号は製品４の特定番号と類似したものにすることができる。自動車の例では、レプリカ製造業者１８は自動車の登録番号をレプリカ６に刻印することもできる。代替的に、レプリカ製造業者１８は製品４の特定番号から派生した特定番号をレプリカ６に刻印することもできる。例えば、レプリカ６の特定番号を、製品４の特定番号に「Ｒ」や「Ｔ」の文字や、他の記号（複数）、文字（複数）、及び／又は番号（複数）を添付したものにすることもできる。
【００１９】
登録担当者２０からのレプリカ注文に対応して、レプリカ製造業者１８はステップ２５０においてまた、登録担当者２０に、所有者１２の名前及び住所などの所有者情報、及び製品４の製造、製品４のモデル、製品４の色などの製品情報を含む所有者証明書８を提供することができる。自動車の例では、レプリカ製造業者１８は、自動車の政府発行所有権及び登録に類似した所有者証明書８を作成することができる。さらに上述のように、代替的実施態様では、所有者証明書８を登録担当者２０が作成する。
【００２０】
登録担当者２０はステップ２６０において、レプリカ６及びレプリカ製造業者１８から受取った所有者証明書８に基づき、登録記録を更新する。一つの実施態様では、登録担当者２０は製品４、レプリカ６、及び所有者１２に関する情報を含むために登録記録を更新する。例えば、登録担当者２０は、製品４及びレプリカ６両方の特定番号を含むように登録記録を更新し、それらの特定番号と所有者１２の名前を関連付ける。
【００２１】
登録担当者２０はステップ２６０においてまた、製品４、レプリカ６、及び／又は所有者１２に関する他の情報を含むように登録記録を更新することができる。例えば、登録担当者２０は、メーカー、モデル、外部色、内部色、エンジン・タイプ、車輌デザインなどのような製品４の視覚的特徴を登録することができ、及びとくにレプリカ６により表象された視覚的特徴を記録することができる。登録担当者２０はまた、住所や電話番号などの所有者１２に関する他の情報を記録することもできる。ステップ２７０において、登録担当者２０は所有者１２にレプリカ６を提供する。さらに、所有者１２のために所有者証明書８が作成された場合は、登録担当者２０は所有者１２に所有者証明書８を提供する。登録担当者２０は商人１４にレプリカ６と所有者証明書８を送付し、商人１４にレプリカ６と所有者証明書８を所有者１２に移転させることにより、所有者１２にレプリカ６と所有者証明書８を提供することも可能である。代替的に、登録担当者２０はレプリカ６と所有者証明書８を所有者１２に直接送ることも可能である。登録担当者２０はまた、レプリカ製造業者１８にレプリカ６と所有者証明書８を登録担当者２０の代わりに所有者１２に送付するように要求することもできる。
【００２２】
図２の方法を実施するのを支援する例示システム３００が図３に示されている。システム３００はまた、下記の図４の方法を実施するためにも使うことができる。
【００２３】
図示のように、登録担当者コンピュータ装置３１０、商人コンピュータ装置３２０−１、３２０−２・・・３２０−ｘ、及びレプリカ製造業者コンピュータ装置３３０−１，３３０−２・・・３３０−ｙはネットワーク３４０を介して互いに連結されている。ネットワーク３４０は、ルータ、スウィッチ、ハブ、ゲートウェイ、プロクシ、及び／又はファイアウォールを介して操作上連結されている複数の公的又は私的ＬＡＮ及び／又はＷＡＮを含む。例示の実施態様では、ネットワーク３４０は、互いに地域的に分散して設置されている登録担当者コンピュータ装置３１０、商人コンピュータ装置３２０−１、３２０−２・・・３２０−ｘ、及びレプリカ製造業者コンピュータ装置３３０−１，３３０−２・・・３３０−ｙを連結するために安価なメカニズムを提供する目的でインターネットをうまく利用する。
【００２４】
例示の実施態様では、登録担当者コンピュータ装置３１０はハイパー・テキスト・プロトコル（ＨＴＴＰ）及び他のインターネット・プロトコル（ＩＰ）にしたがって、商人コンピュータ装置３２０−１、３２０−２・・・３２０−ｘ、及びレプリカ製造業者コンピュータ装置３３０−１，３３０−２・・・３３０−ｙと通信する。したがって登録担当者コンピュータ装置３１０のサービスは、一般的に、適切なＩＰをサポートするいずれのコンピュータ装置でも利用可能である。デルやマッキントッシュなどの多くのパーソナル・コンピュータでは、ＩＰを介して伝達されるサービスへのインターフェイスを提供するウェブ・ブラウザ・ソフトウェアを含んでいる。しかし多くの他の装置はウェブ・ブラウジング能力を含むように開発中である。例えばマイクロソフト社のウェブＴＶのようなセットトップ・ボックス、３ＣＯＭのパームパイロットのようなパーム・コンピュータ装置、及びある種のデジタル・モーバイル電話はブラウジング能力を含み、登録担当者コンピュータ装置３１０のサービスへアクセスするために使用することができる。
【００２５】
図４を参照すると、製品４の購入者１０にレプリカ６を提供する第２の方法４００が示されている。図２の方法と同様、方法４００は、購入者１０が商人１４から彼自身及び／又は他人のために製品４を購入するステップ４１０から始まり、ステップ４２０で、商人１４は、購入者１０に購入した製品４を表象したレプリカ６を買う機会を提供する。
【００２６】
購入者１０が製品４を表象したレプリカ６を買うことを選ぶと、ステップ４３０において、商人１４はレプリカ６と製品４を関連付けるために、レプリカ６の視覚的特徴及び所有者１２の特定情報を登録担当者２０に提供する。商人１４はこのレプリカ注文情報を商人コンピュータ装置３２０及びネットワーク３４０を介して登録担当者コンピュータ装置３１０に伝達することができる。例えば、自動車を所有者１２が購入した場合は、ステップ４３０において、商人１４は、レプリカ６により表象された製品４に関するメーカー、モデル、外部色、内部色、車輌デザイン、車輌識別番号（ＶＩＮ）及び／又は他の情報を商人コンピュータ装置３２０に入力する。商人１４はステップ４３０においてまた、登録担当者２０が製品４及びレプリカ６を所有者１２と関連付けられるように、製品４の所有者１２の名前及び住所を入力することもできる。しかし商人コンピュータ装置３２０はすでに製品４のために視覚的特徴情報の多くをすでに含んでいることに留意されたい。したがって登録担当者２０にレプリカ注文情報を提供するためには、商人１４は製品４を特定する記録を単に選択し、レプリカ６が選択した製品４を表象していることを示すだけでよい。
【００２７】
製品情報及び所有者情報を商人コンピュータ装置３２０から受取ると、登録担当者コンピュータ装置３１０はステップ４４０において、製品４を表象したレプリカ６をレプリカ製造業者１８に注文する。上述の自動車の例では、登録担当者２０はステップ４４０において、レプリカ注文を満足させるレプリカ製造業者１８を選択し、レプリカ６により表象される自動車に関するメーカー、モデル、外部色、内部色、車輌デザイン、車輌識別番号及び／又は他の情報を選択したレプリカ製造業者１８に提供する。代替的に登録担当者２０はステップ４４０において、レプリカ製造業者１８に対して、レプリカ製造業者１８がレプリカ６の視覚的特徴を判断できるような製品番号、カタログ番号及び／又は他の情報を提供する。
【００２８】
レプリカ製造業者１８は典型的に、全ての可能な製品４の部分集合のためにレプリカ６を製造することができる。例えば特定のレプリカ製造業者１８はクライスラーの自動車を表彰するレプリカだけを製造し、他のレプリカ製造業者１８はシボレー自動車を表彰するレプリカだけを製造する。したがって、例示の実施態様では、登録担当者コンピュータ装置３１０は、レプリカ注文を満たす適切なレプリカ製造業者１８を選択するために使うレプリカ製造業者情報のデータベースを保持する。
【００２９】
登録担当者２０はステップ４４０においてまた、登録担当者コンピュータ装置３１０を介して、レプリカ製造業者１８に対して、レプリカ製造業者１８が製品４とレプリカ６を関連付けて個人に特定した所有者証明書を作成できるように、製品４の所有者１２の名前と住所を提供することができる。本発明の代替的実施態様では、登録担当者２０は所有者証明書８を印刷する能力（図示されていない）を含む。したがって登録担当者コンピュータ装置３１０はレプリカ製造業者１８に対する上記の情報を提供する必要はない。
【００３０】
ステップ４５０において、レプリカ製造業者１８はレプリカ製造業者コンピュータ装置３３０及びネットワーク３４０を介して、登録担当者コンピュータ装置３１０からレプリカ注文を受取る。レプリカ製造業者１８はステップ４５０において、製品４を表象したレプリカ６を登録担当者２０に提供する。レプリカ製造業者コンピュータ装置３３０は、レプリカ注文を満足させるために、レプリカ６の現在の在庫が適当なレプリカ６を含むかを判断することができる。それにしたがってレプリカ製造業者コンピュータ装置３３０は特定されたレプリカ６を登録担当者２０に送付するようにする。代替的に、レプリカ製造業者コンピュータ装置３３０は受取った情報の視覚的特徴を満足するように、レプリカ６を製造させることもできる。
【００３１】
レプリカ製造業者１８がレプリカ６をカスタム製造するか、それとも手元の在庫から適当なレプリカ６を選択するかとは独立に、例示の実施態様のレプリカ製造業者１８はレプリカ６に特定の番号を添付することができる。レプリカ６の特定番号は、図２を参照して説明した製品４の特定番号と類似のものも可能である。
【００３２】
登録担当者２０からのレプリカ注文に対応して、レプリカ製造業者１８はステップ４５０においてまた、登録担当者２０に製品４とレプリカ６を所有者１２と関連付ける所有者証明書２０を提供することができる。例えばレプリカ製造業者１８は登録担当者２０に所有者１２の名前及び住所などの所有者情報、及び製品４の製造、製品４のモデル、製品４の色などの製品情報を含む所有者証明書８を提供することができる。所有者証明書８を提供するために、レプリカ製造業者コンピュータ装置３３０は印刷機能（図示されていない）を含むことができる。特に、レプリカ製造業者コンピュータ装置３３０は、製品４に対して政府が発行する所有権及び登録書に類似した所有者証明書８を作成することも可能である。さらに、上述のように、所有者証明書８は例示の実施態様では登録担当者コンピュータ装置３１０により作成される。したがってこのような代替的実施態様では、レプリカ製造業者１８は登録担当者２０に所有者証明書８を提供することなく、レプリカ製造業者コンピュータ装置３３０は印刷機能は必要ない。
【００３３】
登録担当者２０は登録担当者コンピュータ装置３１０を介してステップ４６０において、レプリカ６及びレプリカ製造業者１８から受取った所有者証明書８に基いてデータ記憶装置３１２に記憶した登録記録を更新する。登録担当者２０は製品４、レプリカ６、及び所有者１２に関する情報を含むために登録記録を更新することもできる。例えば、登録担当者２０は、製品４及びレプリカ６両方の特定番号を含むように登録記録を更新し、それらの特定番号と所有者１２の名前を関連付けることができる。
【００３４】
登録担当者２０はステップ４６０においてまた、登録担当者コンピュータ装置３１０を介して、製品４、レプリカ６、及び／又は所有者１２に関する他の情報を含むように登録記録を更新することができる。例えば、登録担当者２０は、メーカー、モデル、外部色、内部色、エンジン・タイプ、車輌デザインなどのような製品４の視覚的特徴を登録することができ、及びとくにレプリカ６により表象された視覚的特徴を記録することができる。登録担当者２０はまた、住所や電話番号などの所有者１２に関する他の情報を記録することもできる。
【００３５】
代替的実施態様では、登録担当者２０は後でファイルされた要求に対応して、後の時間に登録記録を更新することができる。登録記録のこのような後での更新により、登録担当者２０は登録されたレプリカ６の現在の所有者情報を維持し、もしレプリカ６が後で他の所有者１２に移転されたときに、製品４とレプリカ６を現在の所有者１２に関連付けて維持することが可能になる。登録担当者２０は追加の収入流列を生むために手数料を取ってこのような更新サービスを提供することを選択することもできる。
【００３６】
ステップ２７０において、登録担当者２０は所有者１２にレプリカ６を提供する。さらに、所有者１２のために所有者証明書８が作成された場合は、登録担当者２０は所有者１２に所有者証明書８を提供する。登録担当者２０は商人１４にレプリカ６と所有者証明書８を送付し、商人１４にレプリカ６と所有者証明書８を所有者１２に移転させることにより、所有者１２にレプリカ６と所有者証明書８を提供することも可能である。代替的に、登録担当者２０はレプリカ６と所有者証明書８を所有者１２に直接送ることも可能である。登録担当者２０はまた、レプリカ製造業者１８にレプリカ６と所有者証明書８を登録担当者２０の代わりに所有者１２に送付するように要求することもできる。
【００３７】
本発明の上述の説明はあくまで例示のためのものであり、詳述した本発明の範囲を限定することを意図したものではない。ある図示された実施態様を参照して本発明を詳しく説明したが、添付請求項に記述した本発明の範囲内で多様な変種及び修正が存在する。
【図面の簡単な説明】
【図１】
本発明に従ったシステムを組み込んだ環境の概念図を表す。
【図２】
本発明に従った方法のフローダイアグラム図を表す。
【図３】
本発明に従ったシステムのブロックダイアグラム図を表す。
【図４】
本発明に従った方法のもう一つの実施態様のフローダイアグラム図を表す。
【図１】
2004518214.tif 000003
【図２】
2004518214.tif 000004
【図３】
2004518214.tif 000005
【図４】
2004518214.tif 000006
【国際公開パンフレット】
2004518214.tif 000007
2004518214.tif 000008
2004518214.tif 000009
2004518214.tif 000010
2004518214.tif 000011
2004518214.tif 000012
2004518214.tif 000013
2004518214.tif 000014
2004518214.tif 000015
2004518214.tif 000016
2004518214.tif 000017
2004518214.tif 000018
2004518214.tif 000019
2004518214.tif 000020
2004518214.tif 000021
2004518214.tif 000022
2004518214.tif 000023
2004518214.tif 000024
2004518214.tif 000025
2004518214.tif 000026
2004518214.tif 000027
【国際公開パンフレット（コレクトバージョン）】
2004518214.tif 000028
【手続補正書】
【提出日】平成15年4月14日(2003.4.14)
【手続補正１】
【補正対象書類名】明細書
【補正対象項目名】特許請求の範囲
【補正方法】変更
【補正の内容】
【特許請求の範囲】
【請求項１】
製品の視覚的特徴に関連した製品情報を受取るステップ、前記視覚的特徴を含むレプリカを購入者に移転するステップ、及び前記製品の購入時に前記購入者に前記レプリカを購入する機会を提供するステップ、を含み前記製品を複写したレプリカを製品の前記購入者に提供する方法。
【請求項２】
前記製品が乗り物であって、前記製品情報はメーカー、モデル、色、車輪デザイン、及び車輌識別番号の情報を含むことを特徴とする請求項１に記載された方法。
【請求項３】
前記製品の商人は前記製品情報を受取ることを特徴とする請求項１に記載された方法。
【請求項４】
登録担当者が前記製品情報を受取ることを特徴とする請求項１に記載された方法。
【請求項５】
前記登録担当者はまた前記製品と前記レプリカを所有者と関連付けるために製品の前記所有者に関する情報を入手することを特徴とする請求項４に記載された方法。
【請求項６】
前記製品情報を前記商人から受取るために登録担当者を提供するステップをされに具備することにおいて、前記登録担当者は、前記製品及び前記レプリカを前記所有者と関連付けるために、前記製品情報及び前記製品の所有者に関する情報を使用することを特徴とする請求項３に記載された方法。
【請求項７】
前記登録担当者は登録担当者コンピュータ装置を含み及び前記商人は前記登録担当者コンピュータ装置とネットワークにより連結されている商人コンピュータ装置を含むことにおいて、前記登録担当者は、前記製品情報を前記商人コンピュータ装置から前記ネットワークを介して、及び前記登録担当者コンピュータ装置を通して受取ることを特徴とする請求項６に記載された方法。
【請求項８】
前記購入者は前記製品の前記所有者であることを特徴とする請求項６に記載された方法。
【請求項９】
前記所有者情報は所有者名及び住所のいずれか一つを含むことを特徴とする請求項６に記載された方法。
【請求項１０】
前記登録担当者が前記所有者情報を製品特定番号及びレプリカ特定番号と関連付けるステップをさらに具備する請求項６に記載された方法。
【請求項１１】
前記登録担当者からレプリカ製造業者に対してレプリカ注文を移転するステップをさらに具備する請求項６に記載された方法。
【請求項１２】
前記登録担当者は登録担当者コンピュータ装置を含み及び前記レプリカ製造業者は前記登録担当者コンピュータ装置とネットワークにより連結されているレプリカ製造業者コンピュータ装置を含むことにおいて、前記レプリカ注文は前記商人コンピュータ装置から前記ネットワークを介して前記レプリカ製造業者コンピュータ装置に移転されることを特徴とする請求項１１に記載された方法。
【請求項１３】
前記レプリカ注文は前記製品情報及び前記所有者情報を含むことを特徴とする請求項１１に記載された方法。
【請求項１４】
前記レプリカ注文は前記レプリカ製造業者が前記製品情報を決められる特定記号を含むことを特徴とする請求項１１に記載された方法。
【請求項１５】
前記製品及び前記レプリカを前記所有者と関連付ける所有者証明を作成するステップをさらに具備する請求項１１に記載された方法。
【請求項１６】
前記レプリカ製造業者は前記所有者証明を作成し及び前記所有者証明書を前記登録担当者に提供することを特徴とする請求項１５に記載された方法。
【請求項１７】
前記登録担当者は所有者証明書を作成することを特徴とする請求項１５に記載された方法。
【請求項１８】
前記レプリカ及び前記所有者証明書を前記レプリカ製造業者から前記登録担当者に移転するステップをさらに具備する請求項１５に記載された方法。
【請求項１９】
前記所有者証明書は前記製品情報及び前記所有者情報を含むことを特徴とする請求項１５に記載された方法。
【請求項２０】
前記所有者証明書は政府発行書類に類似することを特徴とする請求項１５に記載された方法。
【請求項２１】
前記レプリカ及び前記所有者証明書に基づき前記登録担当者が登録記録を更新するステップをさらに具備する請求項１５に記載された方法。
【請求項２２】
前記登録担当者はデータベースを有する登録担当者コンピュータ装置を含み、前記データベースは更新された登録記録を含むことを特徴とする請求項２１に記載された方法。
【請求項２３】
前記レプリカ製造業者から前記登録担当者に前記レプリカを移転するステップをさらに具備する請求項１１に記載された方法。
【請求項２４】
在庫から前記レプリカを入手するステップをさらに具備する請求項２３に記載された方法。
【請求項２５】
前記レプリカを注文生産するステップをさらに具備する請求項２３に記載された方法。
【請求項２６】
前記レプリカは特定番号を含むことを特徴とする請求項２３に記載された方法。
【請求項２７】
前記レプリカ特定番号は前記製品に関連した特定番号の特徴を共有する特徴を有する請求項２６に記載された方法。
【請求項２８】
前記レプリカ、並びに前記製品及び前記レプリカを前記所有者に関連付ける所有者証明書を前記所有者に移転するステップをさらに具備する請求項１５に記載された方法。
【請求項２９】
前記レプリカを前記所有者に移転するステップは、前記登録担当者から前記製品の商人、及び前記商人から前記所有者に前記レプリカを移転するステップを含むことを特徴とする請求項２８に記載された方法。
【請求項３０】
前記レプリカを前記所有者に移転するステップは、前記登録担当者から直請求項前記所有者に前記レプリカを移転するステップを含むことを特徴とする請求項２８に記載された方法。
【請求項３１】
前記レプリカを前記所有者に移転するステップは、前記レプリカ製造業者から直請求項前記所有者に前記レプリカを移転するステップを含むことを特徴とする請求項２８に記載された方法。
【請求項３２】
商人コンピュータ装置を有する商人；レプリカ製造業者コンピュータ装置を有するレプリカ製造業者；及び前記商人コンピュータ装置と前記レプリカ製造業者コンピュータ装置を繋ぐネットワーク；を具備する製品を複写したレプリカを製品の購入者に提供するシステムであって、前記商人は前記商人コンピュータ装置に前記購入者の購入した前記製品の視覚的特徴に関連した製品情報を入力し、前記製品情報はレプリカ注文として前記ネットワークを介して前記レプリカ製造業者コンピュータ装置に移転され、及び前記視覚的特徴を含むレプリカは購入者に移転されることを特徴とするシステム。
【請求項３３】
前記ネットワークはインターネットであることを特徴とする請求項３２に記載されたシステム。
【請求項３４】
前記商人コンピュータ装置及び前記レプリカ製造業者コンピュータ装置は、ウェブブラウザを実行するパーソナルコンピュータであることを特徴とする請求項３２に記載されたシステム。
【請求項３５】
前記レプリカ注文は前記製品情報及び前記製品の所有者に関する情報を含むことを特徴とする請求項３２に記載されたシステム。
【請求項３６】
前記商人コンピュータ装置及び前記レプリカ製造業者コンピュータ装置に前記ネットワークを介して連結されている登録担当者コンピュータ装置を有する登録担当者をさらに具備する請求項３２に記載されたシステムであって、前記製品情報は前記商人コンピュータ装置から前記レプリカ注文を生成する前記登録担当者コンピュータ装置に移転されることを特徴とするシステム。
【請求項３７】
前記登録担当者コンピュータ装置は複数のレプリカ製造業者を含むデータベースをさらに具備する請求項３６に記載されたシステム。
【請求項３８】
前記レプリカ注文は前記製品情報及び前記製品の所有者に関する情報を含むことを特徴とする請求項３６に記載されたシステム。
【請求項３９】
前記登録担当者は前記レプリカを前記所有者に移転することを特徴とする請求項３８に記載されたシステム。
【請求項４０】
前記登録担当者は前記レプリカを前記商人に移転し及び前記商人は前記レプリカを前記所有者に移転することを特徴とする請求項３８に記載されたシステム。
【請求項４１】
前記レプリカ製造業者は前記レプリカを前記所有者に移転することを特徴とする請求項３８に記載されたシステム。
【請求項４２】
前記レプリカ製造業者は前記製品及び前記レプリカを前記製品の所有者と関連付ける所有者証明書を作成することを特徴とする請求項３６に記載されたシステム。
【請求項４３】
前記レプリカ製造業者は前記所有者証明書を前記登録担当者に提供することを特徴とする請求項４２に記載されたシステム。
【請求項４４】
前記登録担当者コンピュータ装置は、前記レプリカ及び前記所有者証明書に基づき、前記製品及び前記レプリカを前記所有者と関連付けるデータベース内の登録情報を更新することを特徴とする請求項４３に記載されたシステム。
【請求項４５】
前記登録担当者は前記製品の前記所有者が前記製品の所有権を第２の所有者に移転した後に前記登録情報を更新することを特徴とする請求項４４に記載されたシステム。
【請求項４６】
前記レプリカ製造業者は、前記レプリカを前記登録担当者に提供することを特徴とする請求項３６に記載されたシステム。
【請求項４７】
前記レプリカ製造業者は前記レプリカに関連するレプリカ特定番号を提供することを特徴とする請求項４６に記載されたシステム。
【請求項４８】
製品の購入を記念する方法であって下記ステップを具備する方法：
前記製品の視覚的特徴に関連する製品情報を入手するステップ；
前記購入された製品の所有者に関連する情報を入手するステップ；
前記製品情報に基づきレプリカを作成するステップであって、前記レプリカは前記製品の視覚的特徴を描く；
前記製品情報及び前記所有者情報に基づき所有者証明書を作成するステップであって、前記所有者証明書は前記所有者と前記レプリカを関連付ける；及び
前記レプリカ及び前記所有者証明書を前記所有者に移転するステップ。
【国際調査報告】
2004518214.tif 000029
2004518214.tif 000030